【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】
撮影レンズを保持するカメラ鏡筒の先端側に、前記撮影レンズの光軸と垂直な軸線を中心として回動可能に配置され、撮影時に前記撮影レンズのレンズ面を露出する方向に開かれ、非撮影時には前記レンズ面を覆う方向に閉められるバリア部材と、
前記バリア部材を開く方向に付勢する付勢部材と、
前記カメラ鏡筒の先端側に配置され、前記バリア部材を回動可能に保持すると共に前記付勢部材の一部が固定される先端筒と、
前記付勢部材を押圧する押圧部材とを有し、
前記付勢部材は、前記押圧部材によって押圧されると、前記バリア部材を閉める方向に変形することを特徴とするバリア装置。
【請求項２】
前記付勢部材は、前記押圧部材によって押圧される部分が、前記撮影レンズの光軸に沿って前記押圧部材側に延びる凸部とされ、
前記凸部は、前記カメラ鏡筒の外径側へ付勢されるとともに、前記先端筒に設けられた孔部を介して前記押圧部材に対向位置することを特徴とする請求項１に記載のバリア装置。
【請求項３】
前記付勢部材は、一端側が前記バリア部材と接続され、他端側が前記先端筒に対して固定され、前記一端側と前記他端側との間の部位に前記凸部が形成されたことを特徴とする請求項２に記載のバリア装置。
【請求項４】
前記付勢部材は、一端側が前記バリア部材と接続され、他端側に前記凸部が形成され、前記一端側と前記他端側との間の部位が前記先端筒に対して固定されることを特徴とする請求項２に記載のバリア装置。
【請求項５】
前記バリア部材は、前記先端筒によって回動可能に保持される略円柱状の回動軸部を有し、前記付勢部材は、前記回動軸部の端面で前記バリア部材と接続されることを特徴とする請求項１乃至４のいずれか１つに記載のバリア装置。
【請求項６】
前記バリア部材は、前記付勢部材の先端部が挿入される穴部を有し、前記付勢部材は、前記穴部を介して前記バリア部材と連結接続されることを特徴とする請求項１乃至５のいずれか１つに記載のバリア装置。
【請求項７】
前記付勢部材は、弾性部材からなり、前記押圧部材は、前記撮影レンズの光軸に沿って前記先端筒に対して相対移動可能な直進筒であり、
前記先端筒の先端側を覆う蓋部材を備え、
前記先端筒と前記蓋部材には、前記弾性部材を外光から遮断する壁部が形成されたことを特徴とする請求項１乃至６のいずれか１つに記載のバリア装置。
【請求項８】
前記蓋部材は、前記バリア部材の周りに配置され、かつ、外面が球面とされ、
前記バリア部材には、前記蓋部材の外面の曲率と略同一曲率の球面が形成され、
前記バリア部材が前記撮影レンズのレンズ面を覆う方向に閉められると、前記蓋部材の外面と前記バリア部材の球面とが略同一の連続した球面になることを特徴とする請求項７に記載のバリア装置。
【請求項９】
前記バリア部材及び前記付勢部材が一対備えられたことを特徴とする請求項１乃至８のいずれか１つに記載のバリア装置。
【請求項１０】
一方の付勢部材の前記押圧部材によって押圧される部分が、他方の付勢部材の前記押圧部材によって押圧される部分よりも、前記押圧部材側に近接位置することを特徴とする請求項９に記載のバリア装置。
【請求項１１】
前記バリア部材が一対備えられ、
前記付勢部材は、前記各バリア部材と接続される第１の付勢部材と、前記押圧部材によって押圧される第２の付勢部材とからなり、
前記第１の付勢部材は、一端側が一方のバリア部材と接続され、他端側が他方のバリア部材と接続され、前記一端側と前記他端側との間の部位が前記先端筒に対して固定され、
前記第２の付勢部材は、両端側が前記押圧部材によって押圧されるとともに、前記第１の付勢部材と前記先端筒とで挟持されることを特徴とする請求項１乃至８のいずれか１つに記載のバリア装置。
【請求項１２】
前記第２の付勢部材は、前記押圧部材によって押圧される一端側の部分が、前記押圧部材によって押圧される他端側の部分よりも、前記押圧部材側に近接位置することを特徴とする請求項１１に記載のバリア装置。
【請求項１３】
一方のバリア部材の回動中心軸が前記撮影レンズの光軸よりも上方に位置し、他方のバリア部材の回動中心軸が前記撮影レンズの光軸よりも下方に位置し、各回動中心軸が相互に略平行であることを特徴とする請求項９乃至１２のいずれか１つに記載のバリア装置。
【請求項１４】
撮影レンズを保持するカメラ鏡筒の先端側に、前記撮影レンズの光軸と垂直な軸線を中心として回動可能に配置され、撮影時に前記撮影レンズのレンズ面を露出する方向に開かれ、非撮影時には前記レンズ面を覆う方向に閉められるバリア部材を備えたバリア装置において、
前記バリア部材の周りに配置され、前面が球面である蓋部材を有し、
前記バリア部材には、前記蓋部材の曲率と略同一曲率の球面が形成され、
前記バリア部材が前記撮影レンズのレンズ面を覆う方向に閉められると、前記蓋部材の外面と前記バリア部材の球面とが略同一の連続した球面になることを特徴とするバリア装置。
【請求項１５】
前記バリア部材が前記撮影レンズのレンズ面を覆う方向に閉められると、前記蓋部材と前記バリア部材との境界部のうち、前記バリア部材の回動中心軸に略平行で近い方の境界線が略円弧となることを特徴とする請求項１４に記載のバリア装置。
【請求項１６】
撮影レンズを保持するカメラ鏡筒の先端側に、前記撮影レンズの光軸と垂直な軸線を中心として回動可能に配置され、撮影時に前記撮影レンズのレンズ面を露出する方向に開かれ、非撮影時には前記レンズ面を覆う方向に閉められるバリア部材を備えたバリア装置において、
前記バリア部材は、前記撮影レンズの光軸より上方に回動軸を有する第１のバリア部材と、前記光軸より下方に回動軸を有する第２のバリア部材とからなり、
前記第１のバリア部材に連結し、前記第１のバリア部材を開く方向に付勢する第１の弾性部材と、
前記第２のバリア部材に連結し、前記第２のバリア部材を開く方向に付勢する第２の弾性部材と、
収納時に前記第１及び第２の弾性部材を押圧する直進筒と、
前記第１及び第２の弾性部材の一部が固定される固定部と、前記第１のバリア部材の回動軸を回動可能に支持する第１の軸受け部と、前記第２のバリア部材の回動軸を回動可能に支持する第２の軸受け部とを有し、鏡筒先端に配置された先端筒と、
前記先端筒の第１の軸受け部を覆う第１のカバー部と、前記先端筒の第２の軸受け部を覆う第２のカバー部とを有し、前記先端筒の前面を覆う蓋部材とを備えたことを特徴とするバリア装置。
【請求項１７】
撮影レンズを保持するカメラ鏡筒の先端側に、前記撮影レンズの光軸と垂直な軸線を中心として回動可能に配置され、撮影時に前記撮影レンズのレンズ面を露出する方向に開かれ、非撮影時には前記レンズ面を覆う方向に閉められるバリア部材を備えたバリア装置において、
光軸より上方に回動軸を有する第１のバリア部材と、
光軸より下方に回動軸を有する第２のバリア部材と、
前記第１及び第２のバリア部材に連結し、これらのバリア部材を開く方向に付勢する第１の弾性部材と、
前記第１の弾性部材と接する部分を持つ第２の弾性部材と、
収納時に前記第２の弾性部材を押圧する直進筒と、
前記第１及び第２の弾性部材の一部が固定される固定部と、前記第１のバリア部材の回動軸を回動可能に支持する第１の軸受け部と、前記第２のバリア部材の回動軸を回動可能に支持する第２の軸受け部とを有し、鏡筒先端に配置された先端筒と、
前記先端筒の前面を覆い、前記先端筒の第１の軸受け部を覆う第１のカバー部と前記先端筒の第２の軸受け部を覆う第２のカバー部とを備えた蓋部材とを有することを特徴とするバリア装置。
【請求項１８】
請求項１乃至１７のいずれか１つに記載のバリア装置を備えたことを特徴とするカメラ。
【手続補正２】
【補正対象書類名】明細書
【補正対象項目名】０００７
【補正方法】変更
【補正の内容】
【０００７】
【課題を解決するための手段】
本発明のバリア装置の第１の構成は、撮影レンズを保持するカメラ鏡筒の先端側に、撮影レンズの光軸と垂直な軸線を中心として回動可能に配置され、撮影時に撮影レンズのレンズ面を露出する方向に開かれ、非撮影時にはレンズ面を覆う方向に閉められるバリア部材と、バリア部材を開く方向に付勢する付勢部材と、カメラ鏡筒の先端側に配置され、バリア部材を回動可能に保持すると共に付勢部材の一部が固定される先端筒と、付勢部材を押圧する押圧部材とを有し、付勢部材は、押圧部材によって押圧されると、バリア部材を閉める方向に変形することを特徴とする。
【手続補正３】
【補正対象書類名】明細書
【補正対象項目名】００１１
【補正方法】変更
【補正の内容】
【００１１】
本発明のバリア装置の第５の構成は、第１乃至第４のいずれか１つの構成において、バリア部材は、先端筒によって回動可能に保持される略円柱状の回動軸部を有し、付勢部材は、回動軸部の端面でバリア部材と接続されることを特徴とする。
【手続補正４】
【補正対象書類名】明細書
【補正対象項目名】００１２
【補正方法】変更
【補正の内容】
【００１２】
本発明のバリア装置の第６の構成は、第１乃至第５のいずれか１つの構成において、バリア部材は、付勢部材の先端部が挿入される穴部を有し、付勢部材は、穴部を介して前記バリア部材と連結接続されることを特徴とする。
【手続補正５】
【補正対象書類名】明細書
【補正対象項目名】００１３
【補正方法】変更
【補正の内容】
【００１３】
本発明のバリア装置の第７の構成は、第１乃至第６のいずれか１つの構成において、付勢部材は、弾性部材からなり、押圧部材は、撮影レンズの光軸に沿って先端筒に対して相対移動可能な直進筒であり、先端筒の先端側を覆う蓋部材を備え、先端筒と蓋部材には、弾性部材を外光から遮断する壁部が形成されたことを特徴とする。
【手続補正６】
【補正対象書類名】明細書
【補正対象項目名】００１５
【補正方法】変更
【補正の内容】
【００１５】
本発明のバリア装置の第９の構成は、第１乃至第８のいずれか１つの構成において、バリア部材及び付勢部材が一対備えられたことを特徴とする。
【手続補正７】
【補正対象書類名】明細書
【補正対象項目名】００１７
【補正方法】変更
【補正の内容】
【００１７】
本発明のバリア装置の第１１の構成は、第１乃至第８のいずれか１つの構成において、バリア部材が一対備えられ、付勢部材は、各バリア部材と接続される第１の付勢部材と、押圧部材によって押圧される第２の付勢部材とからなり、第１の付勢部材は、一端側が一方のバリア部材と接続され、他端側が他方のバリア部材と接続され、一端側と他端側との間の部位が先端筒に対して固定され、第２の付勢部材は、両端側が押圧部材によって押圧されるとともに、第１の付勢部材と先端筒とで挟持されることを特徴とする。
【手続補正８】
【補正対象書類名】明細書
【補正対象項目名】００１８
【補正方法】変更
【補正の内容】
【００１８】
本発明のバリア装置の第１２の構成は、第１１の構成において、第２の付勢部材は、押圧部材によって押圧される一端側の部分が、押圧部材によって押圧される他端側の部分よりも、押圧部材側に近接位置することを特徴とする。
【手続補正９】
【補正対象書類名】明細書
【補正対象項目名】００１９
【補正方法】変更
【補正の内容】
【００１９】
本発明のバリア装置の第１３の構成は、第９乃至第１２のいずれか１つの構成において、一方のバリア部材の回動中心軸が撮影レンズの光軸よりも上方に位置し、他方のバリア部材の回動中心軸が撮影レンズの光軸よりも下方に位置し、各回動中心軸が相互に略平行であることを特徴とする。
【手続補正１０】
【補正対象書類名】明細書
【補正対象項目名】００２２
【補正方法】変更
【補正の内容】
【００２２】
本発明のバリア装置の第１６の構成は、撮影レンズを保持するカメラ鏡筒の先端側に、撮影レンズの光軸と垂直な軸線を中心として回動可能に配置され、撮影時に撮影レンズのレンズ面を露出する方向に開かれ、非撮影時にはレンズ面を覆う方向に閉められるバリア部材を備えたバリア装置において、バリア部材は、撮影レンズの光軸より上方に回動軸を有する第１のバリア部材と、光軸より下方に回動軸を有する第２のバリア部材とからなり、第１のバリア部材に連結し、第１のバリア部材を開く方向に付勢する第１の弾性部材と、第２のバリア部材に連結し、第２のバリア部材を開く方向に付勢する第２の弾性部材と、収納時に第１及び第２の弾性部材を押圧する直進筒と、第１及び第２の弾性部材の一部が固定される固定部と、第１のバリア部材の回動軸を回動可能に支持する第１の軸受け部と、第２のバリア部材の回動軸を回動可能に支持する第２の軸受け部とを有し、鏡筒先端に配置された先端筒と、先端筒の第１の軸受け部を覆う第１のカバー部と、先端筒の第２の軸受け部を覆う第２のカバー部とを有し、先端筒の前面を覆う蓋部材とを備えたことを特徴とする。
【手続補正１１】
【補正対象書類名】明細書
【補正対象項目名】００２３
【補正方法】変更
【補正の内容】
【００２３】
本発明のバリア装置の第１７の構成は、撮影レンズを保持するカメラ鏡筒の先端側に、撮影レンズの光軸と垂直な軸線を中心として回動可能に配置され、撮影時に撮影レンズのレンズ面を露出する方向に開かれ、非撮影時にはレンズ面を覆う方向に閉められるバリア部材を備えたバリア装置において、光軸より上方に回動軸を有する第１のバリア部材と、光軸より下方に回動軸を有する第２のバリア部材と、第１及び第２のバリア部材に連結し、これらのバリア部材を開く方向に付勢する第１の弾性部材と、第１の弾性部材と接する部分を持つ第２の弾性部材と、収納時に第２の弾性部材を押圧する直進筒と、第１及び第２の弾性部材の一部が固定される固定部と、第１のバリア部材の回動軸を回動可能に支持する第１の軸受け部と、第２のバリア部材の回動軸を回動可能に支持する第２の軸受け部とを有し、鏡筒先端に配置された先端筒と、先端筒の前面を覆い、先端筒の第１の軸受け部を覆う第１のカバー部と先端筒の第２の軸受け部を覆う第２のカバー部とを備えた蓋部材とを有することを特徴とする。
【手続補正１２】
【補正対象書類名】明細書
【補正対象項目名】００２４
【補正方法】変更
【補正の内容】
【００２４】
本発明のカメラは、第１乃至第１７のいずれか１つの構成のバリア装置を備えたことを特徴とする。
【手続補正１３】
【補正対象書類名】明細書
【補正対象項目名】０１１１
【補正方法】変更
【補正の内容】
【０１１１】
バネ４１１は、第１先端部４１１ａが上側のバリア部材４０２の孔部４０２ａに嵌入され、第２先端部４１１ｅが下側のバリア部材４０３の孔部４０３ａに嵌入される。ここで、バネ４１２の中間部４１２ｃは先端筒４０９の前面とバネ４１１とに挟持されており、各バネ４１１，４１２が外れないようになっている。また、バネ４１２の第１先端部４１２ａと第２先端部４１２ｅは、外径方向へ付勢されており、直進筒４１０の内面４０９ｆに常に接している。
【手続補正１４】
【補正対象書類名】明細書
【補正対象項目名】図面の簡単な説明
【補正方法】変更
【補正の内容】
【図面の簡単な説明】
【図１】
本発明の第１の実施の形態のバリア装置を備えたカメラ鏡筒の分解斜視図である。
【図２】
第１の実施の形態のカメラ鏡筒において、バリアが開いた状態を説明するための一部切り欠き図である。
【図３】
第１の実施の形態においてバリアが開いた状態を説明するための図であり、（ａ）が飾り蓋を除いた状態の正面図、（ｂ）がＹＺ平面を含み、下側のバリア部材を除いた状態の側断面図、（ｃ）が飾り蓋と先端筒のみＹＺ平面を含む断面とした側面図、（ｄ）が飾り蓋の正面図である。
【図４】
第１の実施の形態のカメラ鏡筒において、バリアが閉まった状態を説明するための一部切り欠き図である。
【図５】
第１の実施の形態においてバリアが閉じた状態を説明するための図であり、（ａ）が飾り蓋を除いた状態の正面図、（ｂ）が飾り蓋と先端筒のみＹＺ平面を含む断面とした側面図である。
【図６】
第１の実施の形態において、直進筒が各バネから離れる方向に移動し、各バリア部材が開いた状態から、上側のバリア部材を強制的に矢印方向へ押しつけて閉めていった状態を説明する図である。
【図７】
第１の実施の形態において、直進筒が各バネを押圧する方向に移動し、各バリアが開いた状態から、上側のバリア部材を矢印方向へ押しつけて強制的に開いていった状態を説明する図である。
【図８】
第１の実施の形態のカメラ鏡筒において、バリアが開いた状態を示す外観斜視図である。
【図９】
第１の実施の形態のカメラ鏡筒において、バリアが閉じた状態を示す外観斜視図である。
【図１０】
バリア装置の第２の実施の形態を説明するための図であり、（ａ）が飾り蓋を取り除いた正面図、（ｂ）が飾り蓋と先端筒のみＹＺ平面を含む断面で表した側面図で、それぞれバリアが開いた状態を示し、（ｃ）にバリアが閉まった状態の側面図を示す。
【図１１】
バリア装置の第３の実施の形態を説明するための図であり、（ａ）が飾り蓋を取り除いた正面図、（ｂ）が飾り蓋と先端筒のみＹＺ平面を含む断面で表した側面図で、それぞれバリアが開いた状態を示し、（ｃ）にバリアが閉まった状態の側面図を示す。
【図１２】
バリア装置の第４の実施の形態を説明するための図であり、（ａ）が飾り蓋を取り除いた正面図、（ｂ）が飾り蓋と先端筒のみＹＺ平面を含む断面で表した側面図で、それぞれバリアが開いた状態を示し、（ｃ）にバリアが閉まった状態の側面図を示し、（ｄ）に各バネを透視して表した上面外観図を示す。
【符号の説明】
１００，２００，３００，４００…カメラ鏡筒
１０１，２０１，３０１，４０１…飾り蓋（蓋部材）
１０１ａ…後面
１０１ｂ…開口部
１０１ｃ，４０１ｃ…軸受け部
１０１ｅ…上端部
１０１ｆ，１０１ｈ…側端部（壁部）
１０１ｉ…側端部（壁部、カバー部）
１０１ｊ…カバー部
１０１ｋ，４０１ｋ…軸受け部
１０２，２０２，３０２，４０２…バリア部材（第１のバリア部材）
１０２ａ，２０２ａ，３０２ａ，４０２ａ…孔部
１０２ｂ，２０２ｂ，３０２ｂ，４０２ｂ…回動軸部
１０２ｃ，４０２ｃ…回動軸部
１０２ｄ，４０２ｄ…先端部
１０２ｅ…後端部
１０２ｆ…側端部
１０２ｇ…側端部
１０２ｈ…側端部
１０２ｉ…側端部
１０３，２０３，３０３，４０３…バリア部材（第２のバリア部材）
１０３ａ，２０３ａ，３０３ａ，４０３ａ…孔部
１０３ｂ，４０３ｂ…回動軸部
１０３ｃ…回動軸部
４０３ｄ…先端部
１０３ｊ…遮光溝部
１０４，２０４，３０４…バネ（第２の弾性部材）
２０４ａ，３０４ａ…先端部
１０４ｂ，２０４ｂ，３０４ｂ…凸部
１０５，２０５，３０５…バネ（第１の弾性部材）
１０５ａ，２０５ａ，３０５ａ…先端部
１０５ｂ，２０５ｂ，３０５ｂ…凸部
１０５ｃ，２０５ｃ…屈曲部
１０５ｄ，２０５ｄ，３０５ｄ…固定部
１０６，２０６，３０６…ネジ
１０７，２０７，３０７，４０７…ネジ
１０８，２０８，３０８…台座
１０８ａ…切欠部
１０８ｂ，ｃ…軸受け部（第１の軸受け部）
１０８ｇ，ｈ…軸受け部（第２の軸受け部）
１０８ｄ…Ｙ面
１０８ｅ…Ｘ面
１０８ｆ…開口部
１０８ｉ…ストッパー部
１０８ｊ，２０８ｊ，３０８ｊ…ストッパー部
２０８ｋ…貫通溝
１０８ｌ…壁面部（壁部）
１０８ｍ，ｎ…雌ネジ部（固定部）
１０８ｐ…立上り壁部
１０９，２０９，３０９，４０９…先端筒
１０９ａ…円周前面
１０９ｂ，２０９ｂ，３０９ｂ，４０９ｂ…第１孔部
１０９ｃ…前面
１０９ｄ…Ｙ面
１０９ｅ…Ｘ面
１０９ｆ，３０９ｆ，４０９ｆ…内壁部
１０９ｇ，４０９ｇ…第２孔部
１０９ｊ…突起部
４０９ｈ…軸受け部
４０９ｉ…軸受け部
１１０，２１０，３１０，４１０…直進筒（押圧部材）
１１０ａ，２１０ａ，３１０ａ，４１０ａ…押圧面
４１１…バネ（第１の付勢部材）
４１１ａ…第１先端部
４１１ｂ…第１接点部
４１１ｃ…中間部
４１１ｄ…第２接点部
４１１ｅ…第２先端部
４１２…バネ（第２の付勢部材）
４１２ａ…第１先端部
４１２ｂ…第１接点部
４１２ｃ…中間部
４１２ｄ…第２接点部
４１２ｅ…第２先端部
【手続補正１５】
【補正対象書類名】図面
【補正対象項目名】図１
【補正方法】変更
【補正の内容】
【図１】
2001228508.tif 000001